(57)【要約】【課題】ユーザが一旦始めた行為が継続して実行されるために、ユーザに対してその行為の継続に対するモチベーションを維持・向上させることが可能な情報処理装置を提供する。【解決手段】ユーザの目的に対する該ユーザの行動が関連付けられたアイコンを表示させるアイコン表示部と、前記アイコン表示部が表示させた前記アイコンの選択状況を取得する選択状況取得部と、前記選択状況取得部が取得した選択状況を用いて、選択された前記アイコンに関連する行動を他のユーザと共有するための表示情報を生成する表示情報生成部と、を備える、情報処理装置が提供される。【選択図】図１
2014126889.tif 000002
【特許請求の範囲】
【請求項１】
ユーザの目的に対する該ユーザの行動が関連付けられたアイコンを表示させるアイコン表示部と、
前記アイコン表示部が表示させた前記アイコンの選択状況を取得する選択状況取得部と、
前記選択状況取得部が取得した選択状況を用いて、選択された前記アイコンに関連する行動を他のユーザと共有するための表示情報を生成する表示情報生成部と、
を備える、情報処理装置。
【請求項２】
前記選択状況取得部は、前記アイコンの選択状況の取得の際に選択された前記アイコンに関連する行動に属性を紐付ける、請求項１に記載の情報処理装置。
【請求項３】
前記属性は、前記ユーザの行動が前記目的に対し積極的なものか消極的なものかを決めるものである、請求項２に記載の情報処理装置。
【請求項４】
前記アイコン表示部は、前記ユーザの行動に属性を紐付けた状態で前記アイコンを表示させる、請求項１に記載の情報処理装置。
【請求項５】
前記選択状況取得部は、前記アイコンへのユーザの接触回数によって該アイコンの選択回数をカウントする、請求項１に記載の情報処理装置。
【請求項６】
他の装置から情報を取得する情報取得部をさらに備え、
前記アイコン表示部は、前記他の装置から取得した情報を用いて前記アイコンを表示させる、請求項１に記載の情報処理装置。
【請求項７】
前記選択状況取得部は、前記他の装置から取得した情報を用いて前記アイコン表示部が表示させた前記アイコンの選択回数を、前記他の装置からの情報の取得に基づいてカウントする、請求項６に記載の情報処理装置。
【請求項８】
前記アイコン表示部は、前記アイコンとして商品の広告を表示させる、請求項１に記載の情報処理装置。
【請求項９】
前記アイコン表示部は、前記アイコンとして前記ユーザによる商品の購入を表示させる、請求項１に記載の情報処理装置。
【請求項１０】
前記アイコン表示部が表示させる前記アイコンは前記ユーザにより作成可能である、請求項１に記載の情報処理装置。
【請求項１１】
前記表示情報生成部は、自ユーザ及び所定の他ユーザによる前記アイコンの選択状況を用いて前記表示情報を生成する、請求項１に記載の情報処理装置。
【請求項１２】
ユーザの目的に対する行動が関連付けられたアイコンを表示させるアイコン表示ステップと、
前記アイコン表示ステップが表示させた前記アイコンの選択状況を取得する選択状況取得ステップと、
前記選択状況取得ステップで取得された選択状況を用いて、選択された前記アイコンに関連する行動を他のユーザと共有するための表示情報を生成する表示情報生成ステップと、
を備える、情報処理方法。
【請求項１３】
コンピュータに、
ユーザの目的に対する行動が関連付けられたアイコンを表示させるアイコン表示ステップと、
前記アイコン表示ステップが表示させた前記アイコンの選択状況を取得する選択状況取得ステップと、
前記選択状況取得ステップで取得された選択状況を用いて、選択された前記アイコンに関連する行動を他のユーザと共有するための表示情報を生成する表示情報生成ステップと、
を実行させる、コンピュータプログラム。
【発明の詳細な説明】
【技術分野】
【０００１】
本開示は、情報処理装置、情報処理方法及びコンピュータプログラムに関する。
【背景技術】
【０００２】
勉強やスポーツ、ダイエット等、人間が継続して実行しようとするものには様々なものがある。そこで、人間が開始した行為を継続させるための技術が考えられ、また開示されている（例えば特許文献１等参照）。
【先行技術文献】
【特許文献】
【０００３】
【特許文献１】特開２０１０−２５０４３７号公報
【発明の概要】
【発明が解決しようとする課題】
【０００４】
しかし、強い意志を持っているユーザであれば、一旦目的を持って始めた行為を継続して実行することは容易いが、そうでないユーザにとっては、一旦目的を持って始めた行為が継続しない、いわゆる三日坊主になってしまう。この点を鑑みれば、一旦そのユーザが目的を持って始めた行為が、三日坊主にならずに継続して実行されるようにするために、ユーザに対してその行為のモチベーションを維持・向上させるための技術が求められる。
【０００５】
そこで本開示は、ユーザが一旦始めた行為が継続して実行されるために、ユーザに対してその行為の継続に対するモチベーションを維持・向上させることが可能な、新規かつ改良された情報処理装置、情報処理方法及びコンピュータプログラムを提供する。
【課題を解決するための手段】
【０００６】
本開示によれば、ユーザの目的に対する該ユーザの行動が関連付けられたアイコンを表示させるアイコン表示部と、前記アイコン表示部が表示させた前記アイコンの選択状況を取得する選択状況取得部と、前記選択状況取得部が取得した選択状況を用いて、選択された前記アイコンに関連する行動を他のユーザと共有するための表示情報を生成する表示情報生成部と、を備える、情報処理装置が提供される。
【０００７】
また本開示によれば、ユーザの目的に対する行動が関連付けられたアイコンを表示させるアイコン表示ステップと、前記アイコン表示ステップが表示させた前記アイコンの選択状況を取得する選択状況取得ステップと、前記選択状況取得ステップで取得された選択状況を用いて、選択された前記アイコンに関連する行動を他のユーザと共有するための表示情報を生成する表示情報生成ステップと、を備える、情報処理方法が提供される。
【０００８】
また本開示によれば、コンピュータに、ユーザの目的に対する行動が関連付けられたアイコンを表示させるアイコン表示ステップと、前記アイコン表示ステップが表示させた前記アイコンの選択状況を取得する選択状況取得ステップと、前記選択状況取得ステップで取得された選択状況を用いて、選択された前記アイコンに関連する行動を他のユーザと共有するための表示情報を生成する表示情報生成ステップと、を実行させる、コンピュータプログラムが提供される。
【発明の効果】
【０００９】
以上説明したように本開示によれば、ユーザが一旦始めた行為が継続して実行されるために、ユーザに対してその行為の継続に対するモチベーションを維持・向上させることが可能な、新規かつ改良された情報処理装置、情報処理方法及びコンピュータプログラムを提供することが出来る。
【図面の簡単な説明】
【００１０】
【図１】本開示の一実施形態に係る情報処理システム１の構成例を示す説明図である。
【図２】本開示の一実施形態に係る携帯端末１００の機能構成例を示す説明図である。
【図３】本開示の一実施形態に係るサーバ装置１０の機能構成例を示す説明図である。
【図４】本開示の一実施形態に係る携帯端末１００の動作例を示す流れ図である。
【図５】表示部１２０に表示される情報の例を示す説明図である。
【図６】表示部１２０に表示される情報の例を示す説明図である。
【図７】表示部１２０に表示される情報の例を示す説明図である。
【図８】表示部１２０に表示される情報の例を示す説明図である。
【図９】表示部１２０に表示される情報の例を示す説明図である。
【図１０】表示部１２０に表示される情報の例を示す説明図である。
【図１１】表示部１２０に表示される情報の例を示す説明図である。
【図１２】表示部１２０に表示される情報の例を示す説明図である。
【図１３】表示部１２０に表示される情報の例を示す説明図である。
【図１４】表示部１２０に表示される情報の例を示す説明図である。
【図１５】表示部１２０に表示される情報の例を示す説明図である。
【図１６】表示部１２０に表示される情報の例を示す説明図である。
【図１７】表示部１２０に表示される情報の例を示す説明図である。
【図１８】表示部１２０に表示される情報の例を示す説明図である。
【図１９】表示部１２０に表示される情報の例を示す説明図である。
【図２０】表示部１２０に表示される情報の例を示す説明図である。
【図２１】表示部１２０に表示される情報の例を示す説明図である。
【図２２】表示部１２０に表示される情報の例を示す説明図である。
【図２３】表示部１２０に表示される情報の例を示す説明図である。
【図２４】表示部１２０に表示される情報の例を示す説明図である。
【図２５】表示部１２０に表示される情報の例を示す説明図である。
【図２６】表示部１２０に表示される情報の例を示す説明図である。
【図２７】表示部１２０に表示される情報の例を示す説明図である。
【図２８】本開示の一実施形態の変形例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
＜１．本開示の一実施形態＞
［システム構成例］
［携帯端末の機能構成例］
［サーバ装置の機能構成例］
［携帯端末の動作例］
［携帯端末に表示される情報の例］
［変形例］
＜２．まとめ＞
【００１３】
＜１．本開示の一実施形態＞
［システム構成例］
まず、図面を参照しながら本開示の一実施形態に係る情報処理システムの構成例について説明する。図１は、本開示の一実施形態に係る情報処理システム１の構成例を示す説明図である。以下、図１を用いて、本開示の一実施形態に係る情報処理システム１の構成例について説明する。
【００１４】
図１に示したように、本開示の一実施形態に係る情報処理システム１は、サーバ装置１０と、携帯端末１００ａ、１００ｂ、１００ｃと、を含んで構成される。また図１に示したように、サーバ装置１０と、携帯端末１００ａ、１００ｂ、１００ｃとは、インターネット等のネットワーク２を介して接続されている。
【００１５】
サーバ装置１０は、後述する、携帯端末１００ａ、１００ｂ、１００ｃで実行されるアプリケーションで使用されるデータを保持し、必要に応じて携帯端末１００ａ、１００ｂ、１００ｃにそのデータを提供する。
【００１６】
携帯端末１００ａ、１００ｂ、１００ｃは、後述するアプリケーションを実行する端末である。図１では、３人のユーザがそれぞれ携帯端末１００ａ、１００ｂ、１００ｃを使用する場合を想定したものが図示されているが、本開示は携帯端末の数は係る例に限定されない。また以下の説明では、特に断りの無い限り、携帯端末１００ａ、１００ｂ、１００ｃを総称して携帯端末１００とする。携帯端末１００は、例えば携帯電話、多機能携帯電話（スマートフォン）、タブレット型携帯端末、携帯型音楽プレーヤー、携帯型ゲーム機等であってもよい。
【００１７】
本開示の一実施形態に係る情報処理システム１は、携帯端末１００で、ユーザが一旦開始した行為が継続して実行されるために、ユーザに対してその行為のモチベーションを維持・向上させるためのアプリケーションが実行される。またサーバ装置１０では、携帯端末１００での上記アプリケーションの実行により生成されるデータが管理される。
【００１８】
以下の説明では、ユーザに上記行為の例としてダイエットを継続して実行させるために、そのダイエットに対するモチベーションを維持・向上させるようなアプリケーションが携帯端末１００で実行される場合を例示する。以下において、このダイエットに対するモチベーションを維持・向上させるアプリケーションを「ダイエット支援アプリケーション」とも称する。
【００１９】
以上、図１を用いて、本開示の一実施形態に係る情報処理システム１の構成例について説明した。次に、本開示の一実施形態に係る携帯端末１００の機能構成例について説明する。
【００２０】
［携帯端末の機能構成例］
図２は、本開示の一実施形態に係る携帯端末１００の機能構成例を示す説明図である。以下、図２を用いて本開示の一実施形態に係る携帯端末１００の機能構成例について説明する。
【００２１】
図２に示したように、本開示の一実施形態に係る携帯端末１００は、制御部１１０と、表示部１２０と、操作部１３０と、通信部１４０と、記憶部１５０と、を含んで構成される。
【００２２】
制御部１１０は、例えばＣＰＵ（Ｃｅｎｔｒａｌ  Ｐｒｏｃｅｓｓｉｎｇ  Ｕｎｉｔ；中央処理装置）であり、携帯端末１００の動作を制御する。制御部１１０は、記憶部１５０に記憶されているコンピュータプログラムを読み出して順次実行することで、携帯端末１００の動作を制御してもよい。
【００２３】
そして図２に示したように、本開示の一実施形態に係る携帯端末１００に含まれる制御部１１０は、表示制御部１１１と、選択状況取得部１１２と、情報取得部１１５と、を含んで構成される。
【００２４】
表示制御部１１１は、表示部１２０への情報の表示を制御する。そして表示制御部１１１は、図２に示したように、アイコン表示部１１３と、表示情報生成部１１４と、を含んで構成される。
【００２５】
アイコン表示部１１３は、携帯端末１００で上記ダイエット支援アプリケーションが実行される際に、表示部１２０へのアイコンの表示を制御する。詳細については後述するが、アイコン表示部１１３は、携帯端末１００で上記ダイエット支援アプリケーションが実行される際に、ダイエットに対して行われたユーザの行動に関連付けられたアイコンを表示部１２０へ表示させる。
【００２６】
表示情報生成部１１４は、後述する選択状況取得部１１２でのアイコンの選択状況（例えば、アイコンの選択回数）に基づいて、選択されたアイコンに関連する行動を他のユーザと共有するための表示情報を生成する。表示情報生成部１１４によって生成される表示情報の例については後に詳述する。
【００２７】
選択状況取得部１１２は、アイコン表示部１１３が表示部１２０に表示させたアイコンが、携帯端末１００のユーザによって選択された回数をカウントする。選択状況取得部１１２が取得したアイコンの選択状況（例えば、アイコンの選択回数）の情報は、表示情報生成部１１４による表示情報の生成処理に用いられる。
【００２８】
情報取得部１１５は、他の装置から、例えば通信部１４０を介して送信されてきた情報を取得する。制御部１１０は、情報取得部１１５が他の装置から取得した情報を、アイコン表示部１１３によるアイコンの表示に反映させることができる。
【００２９】
操作部１３０は、ユーザに携帯端末１００を操作させるために携帯端末１００に設けられ、例えばハードキー、ボタン、タッチパネル等で構成される。以下の説明では、操作部１３０は、表示部１２０に設けられるタッチパネルを含んだものであるとして説明する。通信部１４０は、他の装置とネットワーク２を介した通信を実行する。記憶部１５０は、ＲＯＭ、ＲＡＭ等の記憶媒体で構成され、携帯端末１００を動作させるためのコンピュータプログラムや、携帯端末１００または当該コンピュータプログラムが使用する設定情報が記憶される。
【００３０】
以上、図２を用いて本開示の一実施形態に係る携帯端末１００の機能構成例について説明した。次に、本開示の一実施形態に係るサーバ装置１０の機能構成例について説明する。
【００３１】
［サーバ装置の機能構成例］
図３は、本開示の一実施形態に係るサーバ装置１０の機能構成例を示す説明図である。図３に示したサーバ装置１０は、携帯端末１００で実行されるダイエット支援アプリケーションで使用されるデータを管理するサーバ装置である。以下、図３を用いて本開示の一実施形態に係るサーバ装置１０の機能構成例について説明する。
【００３２】
図３に示したように、本開示の一実施形態に係るサーバ装置１０は、記憶部１１と、制御部１２と、通信部１３と、を含んで構成される。
【００３３】
記憶部１１は、例えばハードディスクドライブで構成され、携帯端末１００で実行されるダイエット支援アプリケーションで使用されるデータを記憶する。携帯端末１００で実行されるダイエット支援アプリケーションで使用されるデータとしては、例えばダイエット支援アプリケーションを使用するユーザの登録情報、ダイエット支援アプリケーションでのユーザによるアイコンの選択状況に関する情報等がある。
【００３４】
制御部１２は、例えばＣＰＵであり、サーバ装置１０の動作を制御する。例えば制御部１２は、携帯端末１００からのネットワーク２を介した要求に応じ、記憶部１１に格納されているデータを読み出して、携帯端末１００へ提供する。通信部１３は、他の装置（すなわち、携帯端末１００）とネットワーク２を介した通信を実行する。
【００３５】
以上、図３を用いて本開示の一実施形態に係るサーバ装置１０の機能構成例について説明した。次に、本開示の一実施形態に係る携帯端末１００の動作例について説明する。
【００３６】
［携帯端末の動作例］
図４は、本開示の一実施形態に係る携帯端末１００の動作例を示す流れ図である。図４に示した流れ図は、携帯端末１００がダイエット支援アプリケーションを実行している際の、携帯端末１００の動作例である。以下、図４を用いて本開示の一実施形態に係る携帯端末１００の動作例について説明する。
【００３７】
携帯端末１００のユーザによって、携帯端末１００にインストールされているダイエット支援アプリケーションが起動されると（ステップＳ１０１）、携帯端末１００の表示部１２０に、ダイエット支援アプリケーションの画面が表示される。そして携帯端末１００は、ユーザの操作に応じて（または起動後に自動的に）起動したダイエット支援アプリケーションを用いたログイン処理を実行する（ステップＳ１０２）。ステップＳ１０２のログイン処理は、例えば制御部１１０がサーバ装置１０と通信することで実行される。
【００３８】
ダイエット支援アプリケーションでのログイン画面のデザイン例については後述する。また上記ステップＳ１０２でのログイン処理については特定のものに限定されるものではなく、例えばユーザＩＤ及びパスワードをユーザに入力させることによる認証処理が行われてもよく、他のＷｅｂサービスとの連携による認証処理が行われてもよい。
【００３９】
上記ステップＳ１０２でログイン処理を実行し、ユーザを認証すると、携帯端末１００は、起動したダイエット支援アプリケーションによるサービスをユーザに提供することが可能になる。携帯端末１００で実行されるダイエット支援アプリケーションの画面遷移例については後に詳述するが、ログイン処理が完了すると、ダイエット支援アプリケーションはメニュー画面を表示するよう動作する。そしてダイエット支援アプリケーションは、そのメニュー画面から、ユーザ操作によって、当該ユーザが実行したダイエットに関する行動を登録するためのホーム画面へと遷移するよう動作する。
【００４０】
携帯端末１００のユーザによる操作で、ダイエット支援アプリケーションのホーム画面の表示が選択されると（ステップＳ１０３）、携帯端末１００は、ダイエット支援アプリケーションのホーム画面を表示する。ダイエット支援アプリケーションのホーム画面を表示する際には、携帯端末１００は、ユーザが実行するダイエットに関連する行動に対応するアイコンを当該ホーム画面に表示する（ステップＳ１０４）。ステップＳ１０４のアイコンの表示処理は、例えばアイコン表示部１１３が実行する。
【００４１】
上記ステップＳ１０４で、ユーザが実行するダイエットに関連する行動に対応するアイコンをホーム画面に表示すると、携帯端末１００は、ユーザに対し、ホーム画面に表示したアイコンを選択させることができる。ユーザが、ホーム画面に表示したアイコンを選択すると、携帯端末１００は、そのユーザによるアイコンの選択状況として、アイコンの選択回数を取得する（ステップＳ１０５）。ステップＳ１０５の、アイコンの選択回数の取得処理は、例えば選択状況取得部１１２が実行する。
【００４２】
上記ステップＳ１０５で、ユーザが選択したアイコンの選択回数を取得すると、続いて携帯端末１００は、取得した選択回数の情報に基づき、当該アイコンに関連したダイエットに関する行動を他のユーザと共有するための表示情報を生成する（ステップＳ１０６）。ステップＳ１０６の表示情報の生成は、例えば表示情報生成部１１４が生成する。また、ステップＳ１０６の表示情報の生成は、上記ステップＳ１０５の選択回数の取得の直後に必ずしも実行されなくても良い。例えば、ステップＳ１０６の表示情報の生成は、後述するタイムライン画面の表示時に実行されるようにしても良い。
【００４３】
本開示の一実施形態に係る携帯端末１００は、図４に示したような動作を実行することで、ユーザが一旦始めた行為が継続して実行されるために、ユーザが実行したその行為に対する行動の回数に基づく情報を他のユーザと共有させることで、ユーザに対してその行為のモチベーションを維持・向上させることが可能になる。
【００４４】
なお、ユーザが実行した行動の共有範囲については、ダイエット支援アプリケーションを使用するすべてのユーザを共有範囲としてもよく、ダイエット支援アプリケーションを使用するユーザの一部を共有範囲としてもよい。
【００４５】
以上、図４を用いて本開示の一実施形態に係る携帯端末１００の動作例について説明した。続いて、本開示の一実施形態に係る携帯端末１００の動作について、表示部１２０に表示される情報の例を示しながら、より詳細に説明する。
【００４６】
［携帯端末に表示される情報の例］
図５は、携帯端末１００の表示部１２０に表示される情報の例を示す説明図である。図５に示したのは、携帯端末１００にインストールされているダイエット支援アプリケーションがユーザによって起動された際に最初に表示されるログイン画面の例である。
【００４７】
図５に示したダイエット支援アプリケーションのログイン画面には、ユーザにユーザ名を入力させるためのユーザ名入力エリア２０１と、パスワードを入力させるためのパスワード入力エリア２０２とが表示されている。そして、図５に示したダイエット支援アプリケーションのログイン画面には、ユーザ名入力エリア２０１に入力されたユーザ名と、パスワード入力エリア２０２に入力されたパスワードとでログインをするためのログインボタン２０３と、新規ユーザを登録するための新規ユーザ登録ボタン２０４とが表示されている。
【００４８】
携帯端末１００のユーザは、操作部１３０を操作してユーザ名入力エリア２０１とパスワード入力エリア２０２にそれぞれユーザ名とパスワードを入力し、ログインボタン２０３を選択することで、ダイエット支援アプリケーションが提供するサービスにログインすることができる。携帯端末１００で実行されているダイエット支援アプリケーションは、サーバ装置１０に登録されているユーザ情報との照合によりログイン処理を実行する。また携帯端末１００のユーザは、ユーザ登録をしていなければ、新規ユーザ登録ボタン２０４を選択することで、ダイエット支援アプリケーションを用いた新規ユーザの登録が可能になる。なお、ダイエット支援アプリケーションを用いた新規ユーザの登録については詳細な説明は省略する。
【００４９】
図６は、携帯端末１００の表示部１２０に表示される情報の例を示す説明図である。図６に示したのは、携帯端末１００にインストールされているダイエット支援アプリケーションによるログイン処理が成功した場合に、図５のログイン画面から遷移して表示部１２０に表示されるメインメニュー画面の例である。
【００５０】
図６に示したダイエット支援アプリケーションのメインメニュー画面には、ダイエットに関する行動を登録するためのホーム画面へ遷移するためのボタン２１１、ユーザの現在の体重を入力させるための体重登録画面に遷移するためのボタン２１２、ユーザの行動履歴や体重の変化を表示する履歴画面に遷移するためのボタン２１３、自ユーザ及び他ユーザが登録した行動を表示するタイムライン画面に遷移するためのボタン２１４、及び設定画面に遷移するためのボタン２１５が表示されている。
【００５１】
また図６に示したダイエット支援アプリケーションのメインメニュー画面には、ダイエットに対してユーザが実行する行動を、後述するホーム画面に追加するための画面に移動するためのラベル２１６、図６に示したメインメニュー画面に移動するためのラベル２１８、及び後述するホーム画面に移動するためのアイコン２１７が表示されている。ダイエット支援アプリケーションは、ラベル２１６、２１８及びアイコン２１７を、どの画面において表示するようにしてもよい。
【００５２】
図７は、携帯端末１００の表示部１２０に表示される情報の例を示す説明図である。図７に示したのは、図６に示したメインメニュー画面で携帯端末１００のユーザによってボタン２１２が選択された場合に、図６に示したメインメニュー画面から遷移して表示部１２０に表示される体重登録画面の例である。
【００５３】
図７に示したダイエット支援アプリケーションの体重登録画面には、体重を入力させるスライド部２２１と、スライド部２２１を用いてユーザに入力させた体重を微調整するためのボタン２２２、２２３と、入力させた体重を保存するためのボタン２２４と、が表示されている。また図７に示したダイエット支援アプリケーションの体重登録画面には、図６に示したメインメニュー画面に戻るためのボタン２２５と、ユーザの体重の変化を表示する体重履歴画面へ遷移するためのボタン２２６と、ユーザによって入力された値が表示される体重表示部２２７と、が表示されている。
【００５４】
スライド部２２１は、ユーザに指で上下になぞらせることで体重を入力させる機能を有する。ダイエット支援アプリケーションは、ユーザがスライド部２２１を指で上方向になぞると体重表示部２２７に表示される体重の値が増えていき、逆に下方向になぞると体重表示部２２７に表示される体重の値が減っていくように動作する。ダイエット支援アプリケーションは、スライド部２２１を有することでユーザに対して直感的な体重の入力を可能にする。
【００５５】
ボタン２２２、２２３は、スライド部２２１を用いてユーザに入力させた体重を微調整する機能を有する。スライド部２２１を用いた体重の入力は直感的な操作である一方、値の細かな変更には向かない。そこでダイエット支援アプリケーションはボタン２２２、２２３を設けている。ボタン２２２は、体重表示部２２７に表示される体重の値を１００グラムずつ増加させる機能を有し、ボタン２２３は、体重表示部２２７に表示される体重の値を１００グラムずつ減少させる機能を有する。ユーザによるスライド部２２１及びボタン２２２、２２３に対する操作によって入力された体重は、ユーザによるボタン２２４の選択によりダイエット支援アプリケーションに保存される。
【００５６】
図８は、携帯端末１００の表示部１２０に表示される情報の例を示す説明図である。図８に示したのは、図７に示した体重登録画面で携帯端末１００のユーザによってボタン２２６が選択された場合に、図７に示した体重登録画面から遷移して表示部１２０に表示される体重履歴画面の例である。
【００５７】
図８に示したダイエット支援アプリケーションの体重履歴画面には、ユーザの体重の変化をグラフで示す体重変化表示部２３１と、グラフの横軸の表示範囲を変化させるためのボタン２３２、２３３、２３４と、図７に示した体重登録画面に戻るためのボタン２３５と、が表示されている。
【００５８】
体重変化表示部２３１は、横軸を時間、縦軸を体重として、ユーザの体重の変化をグラフで示している。図８には、日単位でのユーザの体重の変化が体重変化表示部２３１にグラフで示されているが、ダイエット支援アプリケーションは、ボタン２３２、２３３、２３４をユーザに選択させることで、グラフの横軸の単位を変化させることができる。
【００５９】
例えば、ユーザがボタン２３２を選択すると、ダイエット支援アプリケーションは、体重変化表示部２３１に示すグラフの横軸の表示範囲を１週間分に変化させる。同様に、ユーザがボタン２３３を選択すると、ダイエット支援アプリケーションは、体重変化表示部２３１に示すグラフの横軸の表示範囲を１ヶ月分に変化させ、ボタン２３４を選択すると表示範囲を１年分に変化させる。
【００６０】
なお図８に示した例では、ダイエット支援アプリケーションは、ボタン２３２、２３３、２３４の選択によって体重変化表示部２３１に示すグラフの横軸の表示範囲を変化させていたが、係る例に限定されるものではない。例えばダイエット支援アプリケーションは、ユーザによる操作部１３０の操作により体重変化表示部２３１に対するスライド操作が行われたことに応じて、体重変化表示部２３１に示すグラフの横軸の表示範囲を変化させてもよい。
【００６１】
図９は、携帯端末１００の表示部１２０に表示される情報の例を示す説明図である。図９に示したのは、図６に示したダイエット支援アプリケーションのメインメニュー画面で携帯端末１００のユーザによってボタン２１１が選択された場合に、図６に示したメインメニュー画面から遷移して表示部１２０に表示されるダイエット支援アプリケーションのホーム画面の例である。
【００６２】
図９に示したダイエット支援アプリケーションのホーム画面には、ダイエットに対して積極的（Ｇｏｏｄ）な行動をした数を示す領域２４１と、ダイエットに対して消極的（Ｂａｄ）な行動をした数を示す領域２４２と、が表示されている。また図９に示したホーム画面には、ダイエットに対して積極的な行動を意味するアイコンを表示する領域２４３と、ダイエットに対して消極的な行動を意味するアイコンを表示する領域２４４と、が表示されている。
【００６３】
また、図９に示したダイエット支援アプリケーションのホーム画面の領域２４３には、ダイエットに対して積極的な行動を意味するアイコン２４５と、そのアイコンの説明を示すアイコン説明部２４６と、が表示されている。
【００６４】
ダイエット支援アプリケーションは、領域２４１、２４２に表示される数を、ユーザが領域２４３、２４４に表示されているアイコンを選択し、そのアイコンに対応する行動を実行したことを登録することにより、変化させる。例えば、ユーザがアイコン２４５を選択し、後述するチェックイン画面でそのアイコンに対応する行動を実行したことを登録すると、ダイエット支援アプリケーションは、領域２４１に表示される値を１つ増加させる。逆に、ユーザが領域２４４に表示されているアイコンを選択し、チェックイン画面でそのアイコンに対応する行動を実行したことを登録すると、ダイエット支援アプリケーションは、領域２４２に表示される値を１つ増加させる。
【００６５】
図９に示されているアイコン２４５には、その左上部分に、そのアイコンに対応する行動が、ダイエットに対して積極的な行動であるのか、消極的な行動であるのかを示す種別表示部２４８が設けられる。例えば、ダイエットに対して積極的な行動であれば、青色の種別表示部２４８がアイコン２４５に重畳され、消極的な行動であれば、赤色の種別表示部２４８がアイコン２４５に重畳される。
【００６６】
ダイエットに対して積極的な行動には、例えばウォーキング、ランニングその他のスポーツや、カロリーの少ない食事等がある。またダイエットに対して消極的な行動には、カロリーの多い食事や飲酒、喫煙等がある。ダイエット支援アプリケーションは、そのような行動に対応するアイコンを予め用意してホーム画面に表示してもよい。
【００６７】
またダイエット支援アプリケーションは、例えば、ユーザが自らホーム画面に追加するように設定したもの、別のユーザによって作成され、他のユーザからの評価が高いもの等をホーム画面に表示してもよい。
【００６８】
なお、図９に示した例では、種別表示部２４８が各アイコン２４５の左上部分に設けられているが、本開示は係る例に限定されるものではない。例えば、アイコン２４５を取り囲む枠の形態で種別表示部２４８が設けられるようにしても良い。
【００６９】
図９に示されているホーム画面には、ユーザが行動を実行した対象の日付を変更するための日付変更部２４７も示されている。ユーザが操作部１３０の操作によって日付変更部２４７を選択することで、ダイエット支援アプリケーションは、ユーザが行動を実行した対象の日付を変更することができる。
【００７０】
ダイエット支援アプリケーションは、時間帯に応じてホーム画面に表示するアイコンを変化させても良い。例えば、使用されている時間が午前中であれば、ダイエット支援アプリケーションは午前中の行動に相応しいアイコンを表示したり、また午前中の行動に相応しく無いアイコンを表示対象から除外したりしてもよい。
【００７１】
また、ダイエット支援アプリケーションは、ユーザが同じ行動を複数日に渡って継続して登録すると、その行動に対応するアイコン、またはアイコンの周囲の表示を変化させても良い。
【００７２】
図１０は、携帯端末１００の表示部１２０に表示される情報の例を示す説明図である。図１０に示したのは、図９に示したダイエット支援アプリケーションのホーム画面で携帯端末１００のユーザによってアイコン２４５が選択された場合に、図９に示したホーム画面から遷移して表示部１２０に表示されるダイエット支援アプリケーションのチェックイン画面の例である。図１０に示したチェックイン画面は、ユーザが選択したアイコンに対応する行動がランニングである場合の例である。
【００７３】
図１０に示したダイエット支援アプリケーションのチェックイン画面には、ユーザが選択したアイコンに対応する行動についてのコメントをユーザに入力させるコメント入力欄２５１と、ユーザが選択したアイコンに対応する行動を他のＳＮＳ等のＷｅｂサービスで共有させるボタン２５２と、が示されている。また図１０に示したダイエット支援アプリケーションのチェックイン画面には、ユーザが選択したアイコンに対応する行動の量を増減させるボタン２５３、２５４と、ユーザが選択したアイコンに対応する行動をダイエット支援アプリケーションに保存するボタン２５５と、が示されている。また図１０に示したダイエット支援アプリケーションのチェックイン画面には、図９に示したダイエット支援アプリケーションのホーム画面に戻るためのボタン２５６も示されている。
【００７４】
携帯端末１００のユーザは、操作部１３０を操作してボタン２５３、２５４を選択することで、ユーザが選択したアイコンに対応する行動の量を増減させることができる。例えば図１０に示したチェックイン画面では、ユーザが選択したアイコンに対応する行動がランニングであるので、携帯端末１００のユーザは、ボタン２５３、２５４を選択することで、ランニングの時間を増減させることができる。そして携帯端末１００のユーザは、操作部１３０を操作してボタン２５５を選択することで、ダイエット支援アプリケーションを通じて、ランニングを行ったことをサーバ装置１０へ保存することができる。
【００７５】
ダイエット支援アプリケーションは、ユーザが選択したアイコンに対応する行動についてのコメントを、携帯端末１００のユーザにコメント入力欄２５１へ記入させることができる。図１０に示したチェックイン画面では、ユーザが選択したアイコンに対応する行動がランニングであるので、携帯端末１００のユーザは、ランニングをしていて感じたことをコメント入力欄２５１に記入することが出来る。コメント入力欄２５１に記入された内容は、ボタン２５５の選択によりダイエット支援アプリケーションを通じて、サーバ装置１０に保存される。
【００７６】
なお、ユーザが行った行動の内容によっては、サーバ装置１０には履歴として残したいが、他ユーザと情報を共有させたくない場合があるかもしれない。そのような場合を考慮して、ダイエット支援アプリケーションは、ユーザが行った行動の保存の際に、その行動を他のユーザと共有するかどうかを選択させる機能を有していても良い。
【００７７】
本実施形態では、図１０に示したようなチェックイン画面によってユーザに行動を登録させていたが、本開示は係る例に限定されるものではない。例えばダイエット支援アプリケーションは、図９に示したようなホーム画面に表示されるアイコンに対する、チェックイン画面に移動させる動作とは異なる動作を検出することによって、そのアイコンに対応する行動が行われたことを登録しても良い。例えばチェックイン画面に移動させる動作がアイコンへのタップ操作であるとすれば、ダイエット支援アプリケーションは、アイコンへの長押し操作を検出することによって、そのアイコンに対応する行動が行われたことを登録しても良い。
【００７８】
また例えば、ダイエット支援アプリケーションは、図９に示したようなホーム画面でのアイコンへの長押し操作の検出により、図１０のチェックイン画面におけるボタン２５３、２５４及びボタン２５３、２５４への操作で値が変動する数字を表示してもよい。また例えば、ダイエット支援アプリケーションは、図９に示したようなホーム画面でのアイコンへのタップ操作の回数によって、アイコンに対応する行動が行われた回数を登録しても良い。
【００７９】
携帯端末１００で動作するダイエット支援アプリケーションは、このように、図９に示したようなホーム画面や図１０に示したようなチェックイン画面でユーザに行動を登録させることで、その行動に対応するアイコンの選択状況を取得できる。ダイエット支援アプリケーションは、取得したアイコンの選択状況から、他ユーザとその行動を共有するための情報を生成することが出来る。他ユーザとその行動を共有するための情報の例を以下に示す。
【００８０】
図１１は、携帯端末１００の表示部１２０に表示される情報の例を示す説明図である。図１１に示したのは、図６に示したダイエット支援アプリケーションのメインメニュー画面で携帯端末１００のユーザによってボタン２１４が選択された場合に、図６に示したメインメニュー画面から遷移して表示部１２０に表示されるダイエット支援アプリケーションのタイムライン画面の例である。
【００８１】
図１１に示したダイエット支援アプリケーションのタイムライン画面は、自ユーザが、図１０に示したチェックイン画面で登録し、サーバ装置１０へ保存した行動を時系列に表示するための画面である。図１１に示したダイエット支援アプリケーションのタイムライン画面には、自ユーザによる、ダイエットに対して積極的及び消極的な行動をした数を示す領域２６１と、自ユーザのプロフィール画像２６２と、が表示されている。また図１１に示したダイエット支援アプリケーションのタイムライン画面には、自ユーザの行動の履歴を時系列で表示するためのタブ２６３と、他ユーザも含めた行動の履歴を時系列で表示するためのタブ２６４と、が表示されている。
【００８２】
また図１１に示したダイエット支援アプリケーションのタイムライン画面には、ユーザが登録した行動の詳細を表示する領域２６５が、その行動ごとに表示される。領域２６５には、ユーザが登録した行動に対応するアイコン２６６、ユーザが登録した行動の詳細情報２６７、及びその行動に対する他ユーザからの評価量やコメント量を示す評価情報２６８が表示される。また図１１に示したダイエット支援アプリケーションのタイムライン画面には、図６に示したダイエット支援アプリケーションのメインメニュー画面に戻るためのボタン２６９も表示されている。
【００８３】
携帯端末１００のユーザは、図１１に示したダイエット支援アプリケーションのタイムライン画面を見ることで、ダイエットに対して自分がいつどのような行動を行ったか、またその行動に対して他ユーザがどのような評価を下しているかを確認することができる。特に携帯端末１００のユーザは、ダイエットに対して自分が行った行動に対して他ユーザがどのような評価を下しているかを確認することで、ダイエットに対するモチベーションの維持・向上が大いに期待できる。
【００８４】
つまり、自ユーザがダイエットのために実行している行動であってその評価が高いものについては、その行動を継続して実行することで、そのユーザのダイエットに対するモチベーションの維持や向上に繋がることが大いに期待できる。
【００８５】
ダイエット支援アプリケーションは、タイムライン画面において、自ユーザが登録した行動だけでなく、自ユーザと繋がりのある他ユーザが登録した行動も表示することができる。
【００８６】
図１２は、携帯端末１００の表示部１２０に表示される情報の例を示す説明図である。図１２に示したのは、図１１に示したダイエット支援アプリケーションのタイムライン画面で携帯端末１００のユーザによってタブ２６４が選択された場合に、図１１に示したタイムライン画面から遷移して表示部１２０に表示されるダイエット支援アプリケーションのタイムライン画面の例である。
【００８７】
図１２に示したダイエット支援アプリケーションのタイムライン画面には、他ユーザが登録した行動の詳細を表示する領域２７１が、その行動ごとに表示される。領域２７１には、その行動を登録したユーザのプロフィール画像２７２、ユーザが登録した行動に対応するアイコン２７３、ユーザが登録した行動の詳細情報２７４、及びその行動に対する他ユーザからの評価量やコメント量を示す評価情報２７５が表示される。
【００８８】
携帯端末１００のユーザは、図１２に示したダイエット支援アプリケーションのタイムライン画面を見ることで、ダイエットに対して他ユーザがいつどのような行動を行ったか、またその行動に対して他ユーザがどのような評価を下しているかを確認することができる。特に携帯端末１００のユーザは、ダイエットに対して他ユーザが行った行動に対して、どのような評価が下されているかを確認することで、ダイエットに対するモチベーションの維持・向上が大いに期待できる。
【００８９】
つまり、他のユーザがダイエットのために実行している行動であってその評価が高いものについて、自ユーザが行なっていないものがあれば、その行動を取り入れることで、自ユーザのダイエットに対するモチベーションの向上に繋がることが大いに期待できる。
【００９０】
ダイエット支援アプリケーションは、携帯端末１００のユーザの操作により、図１２に示したタイムライン画面から、各行動の詳細を表示する画面に遷移することができる。
【００９１】
図１３は、携帯端末１００の表示部１２０に表示される情報の例を示す説明図である。図１３に示したのは、図１２に示したダイエット支援アプリケーションのタイムライン画面で携帯端末１００のユーザによって領域２７１が選択された場合に、図１２に示したタイムライン画面から遷移して表示部１２０に表示されるダイエット支援アプリケーションの行動詳細画面の例である。
【００９２】
図１３に示したダイエット支援アプリケーションの行動詳細画面には、携帯端末１００のユーザが選択した行動の詳細を示す領域２８１と、その行動に対する他ユーザからの評価量やコメント量を示す評価情報２８２と、が表示されている。また図１３に示したダイエット支援アプリケーションの行動詳細画面には、表示されている行動を自分の行動に取り入れるためのボタン２８３と、図１２に示したタイムライン画面に戻るためのボタン２８４と、が表示されている。
【００９３】
携帯端末１００のユーザは、ダイエット支援アプリケーションの行動詳細画面に表示された他ユーザの行動を、自らのダイエットに対する行動に取り入れようとする場合には、操作部１３０を操作してボタン２８３を選択する。ボタン２８３の選択により取り入れられた行動は、図９に示したダイエット支援アプリケーションのホーム画面に表示される。
【００９４】
またダイエット支援アプリケーションは、携帯端末１００のユーザに、行動詳細画面に表示された他ユーザの行動を評価させたり、その行動に対してコメントを付けさせたりすることができる。
【００９５】
図１４は、携帯端末１００の表示部１２０に表示される情報の例を示す説明図である。図１４に示したのは、図１３に示したダイエット支援アプリケーションの行動詳細画面でユーザによって評価情報２８２が選択された場合に、図１３に示したダイエット支援アプリケーションの行動詳細画面から遷移して表示部１２０に表示されるダイエット支援アプリケーションのコメント記入画面の例である。
【００９６】
図１４に示したダイエット支援アプリケーションのコメント記入画面には、携帯端末１００のユーザが選択した行動の詳細を示す領域２９１と、その行動に対して付けられたコメントを表示する領域２９２と、が表示されている。また図１４に示したダイエット支援アプリケーションのコメント記入画面には、携帯端末１００のユーザが、選択した行動に対してコメントを記入するための領域２９３と、領域２９３に記入したコメントを投稿するためのボタン２９４と、が表示されている。また図１４に示したダイエット支援アプリケーションのコメント記入画面には、図１３に示したダイエット支援アプリケーションの行動詳細画面に戻るためのボタン２９５が表示されている。
【００９７】
ダイエット支援アプリケーションは、図１４に示すようなコメント記入画面によって、携帯端末１００のユーザにコメントを記入させることができる。携帯端末１００のユーザが、操作部１３０を操作して領域２９３にコメントを記入し、ボタン２９４を選択すると、ダイエット支援アプリケーションは、領域２９３に記入されたコメントをサーバ装置１０に保存する。ダイエット支援アプリケーションは、このように、各ユーザが登録した行動に対してコメントを記入させる機能を備えることで、各ユーザのダイエットに対するモチベーションの維持・向上に繋げられることが大いに期待できる。
【００９８】
ダイエット支援アプリケーションは、図９に示したダイエット支援アプリケーションのホーム画面に存在しない行動を携帯端末１００のユーザにチェックイン画面で登録することを可能にするために、他のユーザによってその行動が登録されているかどうかを携帯端末１００のユーザに検索させる機能を有する。
【００９９】
図１５は、携帯端末１００の表示部１２０に表示される情報の例を示す説明図である。図１５に示したのは、例えば図９に示されているダイエット支援アプリケーションのホーム画面でユーザによってラベル２１６が選択された場合に、図９に示したダイエット支援アプリケーションのホーム画面から遷移して表示部１２０に表示されるダイエット支援アプリケーションの検索画面の例である。
【０１００】
図１５に示したダイエット支援アプリケーションの検索画面には、携帯端末１００のユーザに検索条件を入力させるための領域３０１と、領域３０１に入力された検索条件に合致する、サーバ装置１０に登録されている行動が表示される領域３０２と、が表示されている。また図１５に示したダイエット支援アプリケーションの検索画面には、遷移元の画面に戻るためのボタン３０３も表示されている。
【０１０１】
ダイエット支援アプリケーションは、図１５に示したような検索画面を表示することで、携帯端末１００のユーザに、検索条件に合致し、サーバ装置１０に登録されている、ダイエットに関する行動を提示することができる。
【０１０２】
ダイエット支援アプリケーションは、図１５に示した検索画面の、領域３０２に表示される行動を携帯端末１００にユーザに選択させると、その行動をホーム画面に追加するための画面に遷移する。
【０１０３】
図１６は、携帯端末１００の表示部１２０に表示される情報の例を示す説明図である。図１６に示したのは、図１５に示されているダイエット支援アプリケーションの検索画面でユーザによって行動が選択された場合に、図１５に示したダイエット支援アプリケーションの検索画面から遷移して表示部１２０に表示されるダイエット支援アプリケーションの行動追加画面の例である。
【０１０４】
図１６に示したダイエット支援アプリケーションの行動追加画面には、検索画面で携帯端末１００のユーザが選択した行動の詳細を表示するための領域３１１と、検索画面で携帯端末１００のユーザが選択した行動をホーム画面に追加するためのボタン３１２と、が表示されている。また図１６に示したダイエット支援アプリケーションの行動追加画面には、検索画面に戻るためのボタン３１３も表示されている。
【０１０５】
携帯端末１００のユーザは、図１６のようなダイエット支援アプリケーションの行動追加画面を見て、自分に合いそうなものだと思えば、操作部１３０を操作してボタン３１２を選択することで、行動追加画面に表示されている行動をホーム画面に追加することができる。例えば図１６に示した例では、バナナを食べることを１５０人がホーム画面に登録しており、バナナを食べることが自分にもダイエットに繋がると判断すれば、携帯端末１００のユーザは、ボタン３１２を選択することで、図１６の行動追加画面に表示されているバナナを食べるという行動を、ホーム画面に追加することができる。
【０１０６】
ここまでは、携帯端末１００のユーザが入力した検索条件に合致するものがサーバ装置１０に存在する場合の例を示したが、次に、携帯端末１００のユーザが入力した検索条件に合致するものがサーバ装置１０に存在しない場合の例を示す。
【０１０７】
図１７は、携帯端末１００の表示部１２０に表示される情報の例を示す説明図である。図１７に示したのは、携帯端末１００のユーザが入力した検索条件に合致するものがサーバ装置１０に存在しない場合の、ダイエット支援アプリケーションの検索画面の例である。
【０１０８】
図１７に示したダイエット支援アプリケーションの検索画面には、領域３０１に入力された検索条件に合致する行動がサーバ装置１０に存在しない旨のメッセージが表示されている。そして、図１７に示したダイエット支援アプリケーションの検索画面には、上記メッセージに加え、携帯端末１００のユーザに新しく行動を作成させるためのボタン３０４が表示されている。
【０１０９】
ダイエット支援アプリケーションは、携帯端末１００のユーザにボタン３０４を選択させることで、サーバ装置１０に存在しないダイエットに関する行動を新規に作成させることができる。
【０１１０】
図１８は、携帯端末１００の表示部１２０に表示される情報の例を示す説明図である。図１８に示したのは、図１７に示されているダイエット支援アプリケーションの検索画面でユーザによってボタン３０４が選択された場合に、図１７に示したダイエット支援アプリケーションの検索画面から遷移して表示部１２０に表示されるダイエット支援アプリケーションの行動追加画面の例である。
【０１１１】
図１８に示したダイエット支援アプリケーションの行動追加画面には、行動に対応するアイコンを表示する領域３２１と、行動の名称を入力する領域３２２と、その行動がダイエットに対して積極的なものであることを指定するボタン３２３と、その行動がダイエットに対して消極的なものであることを指定するボタン３２４と、が表示されている。また図１８に示したダイエット支援アプリケーションの行動追加画面には、その行動でどの程度のカロリーが消費されるか（またはカロリーを取得するか）を入力させるための領域３２５と、その１回の行動あたりの単位を入力させるための領域３２６と、が表示されている。
【０１１２】
また図１８に示したダイエット支援アプリケーションの行動追加画面には、その行動に対するコメントを入力させるための領域３２７と、入力内容を保存するためのボタン３２８と、ダイエット支援アプリケーションの検索画面に戻るためのボタン３２９と、が表示されている。
【０１１３】
ダイエット支援アプリケーションは、図１８に示したような行動追加画面によって、携帯端末１００のユーザに、ダイエットに対して実行される行動を新規に作成させることが出来る。行動に関連付けられるアイコンは、ユーザが自ら作成しても良いし、予めダイエット支援アプリケーションで用意されているものの中から選択されてもよい。例えばダイエット支援アプリケーションは、携帯端末１００のユーザに領域３２１を操作部１３０で選択させることで、図１８に示したような行動追加画面から、アイコンを指定する画面へ遷移するようにしても良い。
【０１１４】
なお、図１８には、登録しようとする行動がダイエットに対して積極的なものか、また消極的なものかをユーザに設定させる項目が示されているが、本開示は係る例に限定されるものではない。例えばダイエット支援アプリケーションは、ダイエットに対して積極的なものか、また消極的なものかは、ユーザがその行動を実行したことを登録する際に、ユーザに登録させるようにしてもよい。
【０１１５】
図１９は、携帯端末１００の表示部１２０に表示される情報の例を示す説明図である。図１９に示したのは、図１８に示されているダイエット支援アプリケーションの行動追加画面でユーザによって領域３２１が選択された場合に、図１８に示したダイエット支援アプリケーションの行動追加画面から遷移して表示部１２０に表示されるダイエット支援アプリケーションのアイコン指定画面の例である。
【０１１６】
図１９に示したダイエット支援アプリケーションのアイコン指定画面には、アイコン３３１が表示されている。アイコン３３１は、ダイエット支援アプリケーションが予め用意していてもよい。携帯端末１００のユーザは、ダイエット支援アプリケーションの行動追加画面で追加しようとする行動に適したアイコンを、アイコン指定画面に表示されているアイコン３３１の中から選択することができる。ダイエット支援アプリケーションは、携帯端末１００のユーザによってアイコン指定画面でいずれかのアイコン３３１が指定されると、自動的に図１８に示されているダイエット支援アプリケーションの行動追加画面に戻るようにしても良い。
【０１１７】
図１９には、９つのアイコン３３１が表示部１２０に表示されている状態が図示されているが、本開示は係る例に限定されるものではない。また、ユーザに選択させることができるアイコンが１画面に入り切らない場合には、ダイエット支援アプリケーションは、例えば表示部１２０に対するフリック操作等で別のアイコンを表示するページに切り替えられるようにしてもよい。
【０１１８】
なお、ダイエット支援アプリケーションが予め用意したアイコンの中に、ダイエット支援アプリケーションの行動追加画面で追加しようとする行動に適していると携帯端末１００のユーザが考えるものが存在しない場合が考えられる。そのような場合を考慮し、図１９に示したダイエット支援アプリケーションのアイコン指定画面には、携帯端末１００のユーザに新たにアイコンを作成させるためのボタン３３２が表示されている。携帯端末１００のユーザにボタン３３２を選択させることで、ダイエット支援アプリケーションは、携帯端末１００のユーザにアイコンの新規作成を可能にする。
【０１１９】
また図１９に示したダイエット支援アプリケーションのアイコン指定画面には、図１８に示されているダイエット支援アプリケーションの行動追加画面に戻るためのボタン３３３が表示されている。ダイエット支援アプリケーションは、携帯端末１００のユーザがアイコンを指定せずにボタン３３３を選択すると、遷移前のダイエット支援アプリケーションの行動追加画面をそのまま表示部１２０に表示させるようにしてもよい。
【０１２０】
このように、ユーザに自由にアイコンを作成させると、同じような意味のアイコンが別のユーザによって複数作成される状況が考えられる。そのような状況を考慮し、例えばサーバ装置１０は、同じような行動を意味するものであれば、異なるアイコンであっても同じ行動であるとして、ユーザが登録した行動を保持しても良い。例えば、キーワードにある程度の類似性があれば、サーバ装置１０は、異なるアイコンであっても同じ行動であるとしてもよい。
【０１２１】
また、既に同じような意味のアイコンが別のユーザによって作成されていれば、サーバ装置１０は、その既に作成されているアイコンの情報を携帯端末１００に提供し、ダイエット支援アプリケーションは、サーバ装置１０から取得した既に作成されているアイコンの情報を表示しても良い。
【０１２２】
ダイエット支援アプリケーションは、図１０に示したチェックイン画面で携帯端末１００のユーザが登録した行動について内容を編集させる機能を有していても良い。
【０１２３】
図２０は、携帯端末１００の表示部１２０に表示される情報の例を示す説明図である。図２０に示したのは、例えば図１１に示したダイエット支援アプリケーションのタイムライン画面で携帯端末１００のユーザによって領域２６５が選択された場合に、図１１に示したダイエット支援アプリケーションのタイムライン画面から遷移して表示部１２０に表示されるダイエット支援アプリケーションの行動編集画面の例である。
【０１２４】
図２０に示したダイエット支援アプリケーションの行動編集画面には、携帯端末１００のユーザが登録した行動の内容が表示されており、その内容の編集のための領域３４１と、携帯端末１００のユーザが登録した行動の量の変更のためのボタン３４２、３４３と、が表示されている。また図２０に示したダイエット支援アプリケーションの行動編集画面には、携帯端末１００のユーザが登録した行動の日付の変更のための領域３４４と、編集内容を保存するためのボタン３４５と、携帯端末１００のユーザが登録した行動の削除のためのボタン３４６と、が表示されている。また図２０に示したダイエット支援アプリケーションの行動編集画面には、図１１に示されているダイエット支援アプリケーションのタイムライン画面に戻るためのボタン３４７が表示されている。
【０１２５】
ダイエット支援アプリケーションは、図２０に示すような行動編集画面を用意することによって、携帯端末１００のユーザに、一度登録した行動の内容を編集させることができる。
【０１２６】
携帯端末１００のユーザは、ダイエット支援アプリケーションを使用することで、自分の体重の変化や、ダイエットに対してどの程度積極的な、または消極的な行動を行ったかをサーバ装置１０に蓄積させることができる。そしてダイエット支援アプリケーションは、携帯端末１００のユーザによってサーバ装置１０に蓄積されたデータを提示することができる。
【０１２７】
図２１は、携帯端末１００の表示部１２０に表示される情報の例を示す説明図である。図２１に示したのは、図６に示したメインメニュー画面で携帯端末１００のユーザによってボタン２１３が選択された場合に、図６に示したメインメニュー画面から遷移して表示部１２０に表示される履歴画面の例である。
【０１２８】
図２１に示したダイエット支援アプリケーションの履歴画面には、携帯端末１００のユーザによってサーバ装置１０に蓄積されたデータを示すグラフ３５１が表示されている。図２１に示した例では、グラフ３５１には、携帯端末１００のユーザが登録した体重の変化と、携帯端末１００のユーザが登録したダイエットに対して積極的な、または消極的な行動の数の変化と、が示されている。またグラフ３５１には、携帯端末１００のユーザが登録した目標体重（図２１に示した例では、６０ｋｇ）も示されている。
【０１２９】
ダイエット支援アプリケーションは、図２１に示したグラフ３５１におけるダイエットに対して積極的な、または消極的な行動の数の変化について、携帯端末１００のユーザが登録した目標体重を境にして、上が消極的な行動の数、下が積極的な行動の数を示すようにしてもよい。ダイエットに対して消極的な行動は、体重を増加させることに繋がる行動であり、ダイエットに対して積極的な行動は、体重を減少させることに繋がる行動であるからである。
【０１３０】
また図２１に示したダイエット支援アプリケーションの履歴画面には、グラフの横軸の表示範囲を変化させるためのボタン３５２、３５３、３５４が表示されている。ボタン３５２、３５３、３５４の機能は、図８に示したダイエット支援アプリケーションの体重履歴画面におけるボタン２３２、２３３、２３４が提供する機能と同一のものである。また図２１に示したダイエット支援アプリケーションの履歴画面には、ホーム画面に戻るためのボタン３５５も表示されている。
【０１３１】
ダイエット支援アプリケーションは、グラフ３５１を携帯端末１００のユーザに触らせることでグラフの表示形式を変更してもよい。例えば、図２１にはダイエットに対して積極的な、または消極的な行動の数の変化がグラフ３５１に示されているが、ダイエット支援アプリケーションは、携帯端末１００のユーザの操作に応じて、積極的な行動の数から消極的な行動の数を引いた値の変化をグラフ３５１に表示するようにしてもよい。また例えば、ダイエット支援アプリケーションは、携帯端末１００のユーザの操作に応じて、図２１に示したグラフの体重の変化のみ、また行動の数の変化のみを表示するようにしてもよい。
【０１３２】
ダイエット支援アプリケーションは、過去にどのような行動をユーザが実行したかを提示する機能を有していても良い。
【０１３３】
図２２は、携帯端末１００の表示部１２０に表示される情報の例を示す説明図である。図２２に示したのは、例えば図２１に示したダイエット支援アプリケーションの履歴画面から遷移して表示部１２０に表示されるダイエット支援アプリケーションの別の履歴画面の例である。
【０１３４】
図２２に示したダイエット支援アプリケーションの履歴画面は、携帯端末１００のユーザが、ダイエットに対して積極的な行動をどれだけ登録したかを棒グラフで示す領域３６１が表示されている。図２２に示した例では、ランニングが３６回、朝の運動が３３回、果物による朝食が２０回、シーザーサラダが３回、それぞれ携帯端末１００のユーザによって登録されたことが領域３６１に棒グラフで示されている。この領域３６１は、携帯端末１００のユーザによる操作部１３０の操作に応じてスクロール表示が可能とするようにしてもよい。
【０１３５】
また図２２に示したダイエット支援アプリケーションの履歴画面には、領域３６１に示す棒グラフの集計範囲を変化させるためのボタン３６２、３６３、３６４が表示されている。ボタン３６２、３６３、３６４の機能は、図８に示したダイエット支援アプリケーションの体重履歴画面におけるボタン２３２、２３３、２３４が提供する機能と同一のものである。
【０１３６】
また図２２に示したダイエット支援アプリケーションの履歴画面には、ダイエットに対して消極的な行動をどれだけ登録したかを表示する画面へ遷移するためのボタン３６５が表示されている。また図２２に示したダイエット支援アプリケーションの履歴画面には、ホーム画面に戻るためのボタン３６６も表示されている。
【０１３７】
図２３は、携帯端末１００の表示部１２０に表示される情報の例を示す説明図である。図２３に示したのは、図２２に示したダイエット支援アプリケーションの履歴画面で携帯端末１００のユーザによってボタン３６５が選択された場合に、図２２に示したダイエット支援アプリケーションの履歴画面から遷移して表示部１２０に表示されるダイエット支援アプリケーションの別の履歴画面の例である。
【０１３８】
図２３に示したダイエット支援アプリケーションの履歴画面は、携帯端末１００のユーザが、ダイエットに対して消極的な行動をどれだけ登録したかを棒グラフで示す領域３７１が表示されている。図２３に示した例では、おやつが３６回、ジャンクフードが３３回、飲酒が２０回、喫煙が３回、それぞれ携帯端末１００のユーザによって登録されたことが領域３７１に棒グラフで示されている。この領域３７１は、携帯端末１００のユーザによる操作部１３０の操作に応じてスクロール表示が可能とするようにしてもよい。
【０１３９】
また図２３に示したダイエット支援アプリケーションの履歴画面には、領域３７１に示す棒グラフの集計範囲を変化させるためのボタン３７２、３７３、３７４が表示されている。ボタン３７２、３７３、３７４の機能は、図８に示したダイエット支援アプリケーションの体重履歴画面におけるボタン２３２、２３３、２３４が提供する機能と同一のものである。
【０１４０】
また図２３に示したダイエット支援アプリケーションの履歴画面には、図２２に示したような、ダイエットに対して積極的な行動をどれだけ登録したかを表示する画面へ遷移するためのボタン３７５が表示されている。また図２３に示したダイエット支援アプリケーションの履歴画面には、ホーム画面に戻るためのボタン３７６も表示されている。
【０１４１】
ダイエット支援アプリケーションは、利用するユーザの情報を編集するための画面を有していても良い。
【０１４２】
図２４は、携帯端末１００の表示部１２０に表示される情報の例を示す説明図である。図２４に示したのは、図６に示したメインメニュー画面で携帯端末１００のユーザによってボタン２１５が選択された場合に、図６に示したメインメニュー画面から遷移して表示部１２０に表示されるユーザ情報編集画面の例である。
【０１４３】
図２４に示したダイエット支援アプリケーションのユーザ情報編集画面には、ユーザのプロフィール画像を表示して編集させる領域３８１と、ユーザ名を表示して編集させる領域３８２と、ダイエットを開始した時点の体重を表示して編集させる領域３８３と、目標体重を表示して編集させる領域３８４と、が表示されている。また図２４に示したダイエット支援アプリケーションのユーザ情報編集画面には、ユーザの身長を表示して編集させる領域３８５と、ユーザの年齢を表示して編集させる領域３８６と、ユーザが登録した内容を他のユーザと共有させるかどうかを設定させるボタン３８７と、が表示されている。
【０１４４】
また図２４に示したダイエット支援アプリケーションのユーザ情報編集画面には、編集させた内容を保存させるためのボタン３８８と、図６に示したメインメニュー画面に戻るためのボタン３８９と、が表示されている。
【０１４５】
ダイエット支援アプリケーションは、図２４に示したようなユーザ情報編集画面を有していることで、ユーザ情報を携帯端末１００のユーザに編集させることができる。
【０１４６】
ダイエット支援アプリケーションは上述したような画面を有することで、ダイエット支援アプリケーションを使用するユーザに対して、ダイエットに対するモチベーションの維持・向上が期待できる。
【０１４７】
ここまでの説明で参照した図面に示されている画面は一例に過ぎないことは言うまでもないことであり、本開示においては、アプリケーションで用意される画面は、ここまでの説明で参照した図面に示されているものに限定されるものではない。アプリケーションで用意される画面は、本開示の技術的思想を逸脱しない範囲において変更されることが許容されることは言うまでも無く、また本開示の技術的思想を逸脱しない範囲であれば、そのように変更されたものも本開示の技術的範囲に属するものと了解される。
【０１４８】
以下で、本開示の一実施形態に係る携帯端末１００で実行されるダイエット支援アプリケーションが有する画面の変形例を説明する。
【０１４９】
図２５は、携帯端末１００の表示部１２０に表示される情報の例を示す説明図である。図２５に示したのは、図６に示したダイエット支援アプリケーションのメインメニュー画面で携帯端末１００のユーザによってボタン２１１が選択された場合に、図６に示したメインメニュー画面から遷移して表示部１２０に表示されるダイエット支援アプリケーションのホーム画面の変形例である。
【０１５０】
図２５に示したダイエット支援アプリケーションのホーム画面には、ダイエットに対して積極的な行動をユーザが登録した数を表示する領域３９１と、ダイエットに対して消極的な行動をユーザが登録した数を表示する領域３９２と、が表示されている。図２５に示した例では、ダイエットに対して積極的な行動が６個、消極的な行動が１８個、それぞれユーザによって登録されたことが示されている。また図２５に示したダイエット支援アプリケーションのホーム画面には、図９に示したホーム画面と同様に、行動を登録した日付をユーザに変更させるための領域２４７が示されている。
【０１５１】
図２６は、携帯端末１００の表示部１２０に表示される情報の例を示す説明図である。図２６に示したのは、図６に示したダイエット支援アプリケーションのメインメニュー画面で携帯端末１００のユーザによってボタン２１１が選択された場合に、図６に示したメインメニュー画面から遷移して表示部１２０に表示されるダイエット支援アプリケーションのホーム画面の変形例である。
【０１５２】
図２６に示したダイエット支援アプリケーションのホーム画面には、ダイエットに対して積極的な行動をした数を示す領域２４１と、ダイエットに対して消極的な行動をした数を示す領域２４２と、が表示されている。また図２６に示したホーム画面には、ダイエットに対して積極的な行動を意味するアイコンを表示する領域２４３’と、ダイエットに対して消極的な行動を意味するアイコンを表示する領域２４４’と、が表示されている。
【０１５３】
図２６に示したダイエット支援アプリケーションのホーム画面が図９に示したホーム画面と異なるのは、領域２４３’、２４４’に、アイコンが３列で表示されている点である。このようにアイコンを３列で表示させることで、ダイエット支援アプリケーションは、図９に示したホーム画面に比べて、ホーム画面により多くのアイコンを表示させることが出来る。
【０１５４】
図２７は、携帯端末１００の表示部１２０に表示される情報の例を示す説明図である。図２７に示したのは、図６に示したメインメニュー画面で携帯端末１００のユーザによってボタン２１３が選択された場合に、図６に示したメインメニュー画面から遷移して表示部１２０に表示される履歴画面の変形例である。
【０１５５】
図２７に示したダイエット支援アプリケーションの履歴画面には、携帯端末１００のユーザによってサーバ装置１０に蓄積されたデータを棒グラフで示す領域４０１、４０２が表示されている。図２７に示した例では、領域４０１には、携帯端末１００のユーザが登録したダイエットに対して積極的な行動の数が示されている。また領域４０２には、携帯端末１００のユーザが登録したダイエットに対して消極的な行動の数が示されている。
【０１５６】
また図２７に示したダイエット支援アプリケーションの履歴画面には、領域４０１、４０２に示す棒グラフの集計範囲を変化させるためのボタン４０３、４０４、４０５が表示されている。ボタン４０３、４０４、４０５の機能は、図８に示したダイエット支援アプリケーションの体重履歴画面におけるボタン２３２、２３３、２３４が提供する機能と同一のものである。
【０１５７】
このように、ダイエット支援アプリケーションが表示部１２０に表示させる画面は様々な変形例が考えられる。しかし、上述の説明で参照した図面で示される変形例も、あくまで一例に過ぎないことは言うまでもないことであり、本開示においては、アプリケーションで用意される画面は、ここまでの説明で参照した図面に示されているものに限定されるものではない。
【０１５８】
ここまで、携帯端末１００にインストールされるダイエット支援アプリケーションによって表示部１２０に表示される画面の例を示してきた。今まで示した例は、ダイエット支援アプリケーションのホーム画面に表示されるアイコンを、ユーザの意志によって選択することでユーザがダイエットに対する行動を登録するものであった。このようにユーザの意志に任せると。ユーザが虚偽の登録を行なってしまう可能性もあり、実際の行動とダイエットの結果とが必ずしも結びつかなくなってしまう。
【０１５９】
そこでダイエット支援アプリケーションは、携帯端末１００が他の装置から取得したデータを用いてホーム画面にアイコンを表示させたり、データの取得に基づいてそのアイコンに対応する行動を自動的に登録したりしてもよい。例えばダイエット支援アプリケーションは、ユーザが身に付けるウェアラブル装置からデータを取得し、アイコンの表示や行動の登録を実行しても良い。特に本実施形態では、ユーザにダイエットに対するモチベーションの維持・向上を図ることを目的としているので、ダイエット支援アプリケーションは、歩数や走行距離等を取得できるウェアラブル装置からデータを取得することで、ダイエットに対する積極的な行動を自動的に登録することが出来る。
【０１６０】
図２８は、本開示の一実施形態の変形例を示す説明図である。図２８は、ユーザが使用する携帯端末１００ａが、歩数や走行距離を取得するウェアラブル装置３００から、ユーザの歩数や走行距離等の情報を取得する様子を図示したものである。
【０１６１】
例えば、携帯端末１００ａがウェアラブル装置３００から５キロメートル走ったことを意味するデータを取得したとする。ダイエット支援アプリケーションは、５キロメートル走ったことを意味するデータから、５キロメートル走ったことを示すアイコンをホーム画面に表示したり、またダイエットに対する積極的な行動として５キロメートル走ったことを自動的に登録したりしてもよい。また例えば、５キロメートル走ったことを示すアイコンが存在する場合に、携帯端末１００ａがウェアラブル装置３００から１０キロメートル走ったことを意味するデータを取得すると、５キロメートル走ったことを示すアイコンが２回選択されたとみなして、１０キロメートル走ったことを登録してもよい。
【０１６２】
このように、携帯端末１００ａが他の装置から取得したデータを用いたアイコンの表示や行動の登録を行うことで、ダイエット支援アプリケーションは、ダイエットに対するモチベーションの維持・向上を図ることができる。
【０１６３】
ここまでの説明では、ダイエット支援アプリケーションのホーム画面に表示されるアイコンは、ダイエットに対する積極的な、または消極的な行動を示すものであった。ホーム画面に表示されるアイコンは、このようにダイエットに対する行動を示すものに限定されるものではない。例えばダイエット支援アプリケーションは、ダイエットに効果のある飲料品や食料品の広告、その飲料品や食料品を安く購入できるクーポン等をアイコンとして表示しても良い。また例えばダイエット支援アプリケーションは、ユーザがダイエットに効果のある飲料品や食料品を購入したことをアイコンとして表示しても良い。そのようなアイコンの表示は、例えばユーザが商品の購入をサーバ装置１０に登録し、ダイエット支援アプリケーションがサーバ装置１０から商品の購入履歴を取得することで実行され得る。
【０１６４】
また例えばダイエット支援アプリケーションは、ユーザがスポーツイベント等のダイエットに関するイベントに参加したことを示すスタンプ情報を、アイコンとして表示しても良い。例えばダイエット支援アプリケーションは、ユーザがウォークラリーに参加したことで取得できるスタンプ情報を、ホーム画面にアイコンとして表示しても良い。ユーザは、ダイエット支援アプリケーションがホーム画面に表示させた、そのスタンプ情報を示すアイコンを選択することで、ウォークラリーに参加したことを登録することが出来る。
【０１６５】
また例えばダイエット支援アプリケーションは、特定の行動の組み合わせによるダイエットプランをユーザに提供しても良い。そしてダイエット支援アプリケーションは、そのダイエットプランの実行に対する見返り（例えば、ダイエットに効果的な商品を安く購入できるクーポン等）をユーザに提供しても良い。ユーザは、ダイエット支援アプリケーションが提供するダイエットプランに含まれている全ての行動を実行しようとすることでダイエットに対するモチベーションが行動する。
【０１６６】
本開示の一実施形態に係る携帯端末１００は、インストールされているダイエット支援アプリケーションが実行されることで、上述の説明で参照した図面に示されている画面を表示部１２０に表示していたが、本開示は係る例に限定されるものではない。例えば、携帯端末１００にインストールされているウェブブラウザで、ダイエット支援アプリケーションが提供するサービスと同様のサービスを提供するダイエット支援サービスにアクセスし、当該ウェブブラウザで上述の説明で参照した図面に示されている画面が表示部１２０に表示されるようにしても良い。
【０１６７】
＜２．まとめ＞
以上説明したように本開示の一実施形態によれば、ユーザにダイエットに対するモチベーションを維持・向上させることが可能なダイエット支援アプリケーションを実行する携帯端末１００が提供される。携帯端末１００で実行されるダイエット支援アプリケーションは、ダイエットに対する行動をユーザに登録させ、その登録させた行動を他のユーザと共有可能な状態でサーバ装置１０に保存させる。ダイエットに対する行動を他のユーザと共有することで、その行動に対する評価が他のユーザから得られ、ユーザにダイエットに対するモチベーションを維持・向上させることが出来る。
【０１６８】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１６９】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１７０】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７１】
なお、本技術は以下のような構成も取ることができる。
（１）
ユーザの目的に対する該ユーザの行動が関連付けられたアイコンを表示させるアイコン表示部と、
前記アイコン表示部が表示させた前記アイコンの選択状況を取得する選択状況取得部と、
前記選択状況取得部が取得した選択状況を用いて、選択された前記アイコンに関連する行動を他のユーザと共有するための表示情報を生成する表示情報生成部と、
を備える、情報処理装置。
（２）
前記選択状況取得部は、前記アイコンの選択状況の取得の際に選択された前記アイコンに関連する行動に属性を紐付ける、前記（１）に記載の情報処理装置。
（３）
前記属性は、前記ユーザの行動が前記目的に対し積極的なものか消極的なものかを決めるものである、前記（２）に記載の情報処理装置。
（４）
前記アイコン表示部は、前記ユーザの行動に属性を紐付けた状態で前記アイコンを表示させる、前記（１）〜（３）のいずれかに記載の情報処理装置。
（５）
前記選択状況取得部は、前記アイコンへのユーザの接触回数によって該アイコンの選択回数をカウントする、前記（１）〜（４）のいずれかに記載の情報処理装置。
（６）
他の装置から情報を取得する情報取得部をさらに備え、
前記アイコン表示部は、前記他の装置から取得した情報を用いて前記アイコンを表示させる、前記（１）〜（５）のいずれかに記載の情報処理装置。
（７）
前記選択状況取得部は、前記他の装置から取得した情報を用いて前記アイコン表示部が表示させた前記アイコンの選択回数を、前記他の装置からの情報の取得に基づいてカウントする、前記（６）に記載の情報処理装置。
（８）
前記アイコン表示部は、前記アイコンとして商品の広告を表示させる、前記（１）〜（７）のいずれかに記載の情報処理装置。
（９）
前記アイコン表示部は、前記アイコンとして前記ユーザによる商品の購入を表示させる、前記（１）〜（８）のいずれかに記載の情報処理装置。
（１０）
前記アイコン表示部が表示させる前記アイコンは前記ユーザにより作成可能である、前記（１）〜（９）のいずれかに記載の情報処理装置。
（１１）
前記表示情報生成部は、自ユーザ及び所定の他ユーザによる前記アイコンの選択状況を用いて前記表示情報を生成する、前記（１）〜（１０）のいずれかに記載の情報処理装置。
（１２）
ユーザの目的に対する行動が関連付けられたアイコンを表示させるアイコン表示ステップと、
前記アイコン表示ステップが表示させた前記アイコンの選択状況を取得する選択状況取得ステップと、
前記選択状況取得ステップで取得された選択状況を用いて、選択された前記アイコンに関連する行動を他のユーザと共有するための表示情報を生成する表示情報生成ステップと、
を備える、情報処理方法。
（１３）
コンピュータに、
ユーザの目的に対する行動が関連付けられたアイコンを表示させるアイコン表示ステップと、
前記アイコン表示ステップが表示させた前記アイコンの選択状況を取得する選択状況取得ステップと、
前記選択状況取得ステップで取得された選択状況を用いて、選択された前記アイコンに関連する行動を他のユーザと共有するための表示情報を生成する表示情報生成ステップと、
を実行させる、コンピュータプログラム。
【符号の説明】
【０１７２】
１    情報処理システム
１０    サーバ装置
１１    記憶部
１２    制御部
１３    通信部
１００、１００ａ、１００ｂ、１００ｃ    携帯端末
１１０    制御部
１１１    表示制御部
１１２    選択状況取得部
１１３    アイコン表示部
１１４    表示情報生成部
１１５    情報取得部
１２０    表示部
１３０    操作部
１４０    通信部
１５０    記憶部
【図１】
2014126889.tif 000003
【図２】
2014126889.tif 000004
【図３】
2014126889.tif 000005
【図４】
2014126889.tif 000006
【図５】
2014126889.tif 000007
【図６】
2014126889.tif 000008
【図７】
2014126889.tif 000009
【図８】
2014126889.tif 000010
【図９】
2014126889.tif 000011
【図１０】
2014126889.tif 000012
【図１１】
2014126889.tif 000013
【図１２】
2014126889.tif 000014
【図１３】
2014126889.tif 000015
【図１４】
2014126889.tif 000016
【図１５】
2014126889.tif 000017
【図１６】
2014126889.tif 000018
【図１７】
2014126889.tif 000019
【図１８】
2014126889.tif 000020
【図１９】
2014126889.tif 000021
【図２０】
2014126889.tif 000022
【図２１】
2014126889.tif 000023
【図２２】
2014126889.tif 000024
【図２３】
2014126889.tif 000025
【図２４】
2014126889.tif 000026
【図２５】
2014126889.tif 000027
【図２６】
2014126889.tif 000028
【図２７】
2014126889.tif 000029
【図２８】
2014126889.tif 000030